(57)【特許請求の範囲】
【請求項１】
複数の耳鳴りモード及び耳鳴り音声の少なくとも一方を診断するのに必要な様々な種類のトーン、メロディ、リズム及びラウドネスのオーディオ・トーン信号を発生させる全デジタルオーディオ・トーン信号合成発生器と、
前記全デジタルオーディオ・トーン信号合成発生器を制御して、耳鳴り診断のオーディオ・トーン信号を出力する操作制御モジュールと、を備え、
前記全デジタルオーディオ・トーン信号合成発生器は、それぞれ特定のオーディオ・トーン信号を発生させる、複合音信号発生モジュールと、純音信号発生モジュールと、雑音信号発生モジュールと、録音信号発生モジュールとを含み、
前記複合音信号発生モジュールは、
１又は複数の独立したモノラル信号発生器を有するマルチチャンネル合成モジュールであって、前記モノラル信号発生器は、所定の周波数及び音圧レベル範囲内において発音するための音信号を生成し、複合音声における各モノラル信号発生器の寄与度は、主に所定の周波数におけるラウドネスによって決定され、複合音オーディオ・トーン信号のトーン、メロディ、リズム及びラウドネスは、複数の前記モノラル信号発生器が生成する複数の音信号の配列形態及び各モノラル信号発生器の寄与度によって決定され、複合音の総ラウドネスを調整できるマルチチャンネル合成モジュールと、
直線波、衝撃波、ランプ波、のこぎり波、三角関数波、台形波、矩形波及びパルス波を含むプリセットオーディオ信号の波形について、波形パラメータを調節するプリセット信号波形モジュールと、
収集された複数の耳鳴りデジタル信号を分類保存し且つ一つの耳鳴りデジタル信号を耳鳴り参照信号として抽出することが可能な耳鳴り信号ライブラリモジュールであって、耳鳴り患者の検査に対する個別のニーズに応じて、前記耳鳴り信号ライブラリモジュールから耳鳴り参照信号を抽出し、抽出された耳鳴り参照信号に対応する周波数、ラウドネス及び波形を含むパラメータを微調整し且つ微調整されたパラメータを有する耳鳴りデジタル信号を出力することで、患者の診断に対する個別のニーズに適合する耳鳴り音声信号を復元及び出力可能な耳鳴り信号ライブラリモジュールと、を含むことを特徴とする耳鳴診断検査装置。
【請求項２】
前記全デジタルオーディオ・トーン信号合成発生器は、左耳に必要なオーディオ・トーン信号を発生させる左耳の全デジタルオーディオ・トーン信号合成発生器と、右耳に必要
なオーディオ・トーン信号を発生させる右耳の全デジタルオーディオ・トーン信号合成発生器とを含み、
前記操作制御モジュールは、前記左耳の全デジタルオーディオ・トーン信号合成発生器及び前記右耳の全デジタルオーディオ・トーン信号合成発生器に対する同時及び交互の制御の少なくとも一方を行い、左右の耳に入力されたオーディオ・トーン信号を調節して最適化し、両耳の耳鳴り音を安定的に復元させ、且つ耳鳴り診断オーディオ・トーン信号を出力することを特徴とする請求項１に記載の耳鳴り診断検査装置。
【請求項３】
前記左耳の全デジタルオーディオ・トーン信号合成発生器のデータと前記右耳の全デジタルオーディオ・トーン信号合成発生器のデータとを互いに複製し、当該複製された信号に基づいてオーディオ・トーン信号を調整可能であることを特徴とする請求項２に記載の耳鳴り診断検査装置。
【請求項４】
前記波形のパラメータは、波形勾配、波形の振幅、波形のピーク値の時間軸上の位置、波形の谷底値の時間軸上の位置、波形の周期及び波形の継続時間を含むことを特徴とする請求項１に記載の耳鳴り診断検査装置。
【請求項５】
前記純音信号発生モジュールが発生させる純音信号は、通常純音と、合成純音と、パルス純音と、混合パルス純音とを含むことを特徴とする請求項１に記載の耳鳴り診断検査装置。
【請求項６】
雑音信号発生モジュールが発生させる雑音は、白色雑音、フィルタによって変換された有色雑音、及び、周波数帯域の幅、トーン、ラウドネスが調整可能な様々な雑音を含むことを特徴とする請求項１に記載の耳鳴り診断検査装置。
【請求項７】
前記全デジタルオーディオ・トーン信号合成発生器が３０ｋＨｚの広帯域範囲内において調節可能な音圧レベル範囲は、０ｄＢ〜１２０ｄＢであることを特徴とする請求項１に記載の耳鳴り診断検査装置。
【請求項８】
遠隔操作制御及び情報伝送を実現する遠隔操作制御モジュールをさらに備えていることを特徴とする請求項１に記載の耳鳴り診断検査装置。
【請求項９】
手動又は自動的にオーディオ信号のスキャン及び標定・校正が可能なオーディオ信号標定・校正モジュールをさらに備えていることを特徴とする請求項１に記載の耳鳴り診断検査装置。
【発明の詳細な説明】
【技術分野】
【０００１】
本発明は、医療機器分野に関し、特に耳鳴り診断検査装置に関する。
【背景技術】
【０００２】
耳鳴り（Ｔｉｎｎｉｔｕｓ）は、一般的な臨床症状である。通常、耳鳴りは、外部からの対応する音源又は電磁刺激がないときに、耳内又は頭部に生じる音声の主観的な感覚（即ち、主観的耳鳴り）をいい、耳鳴り又は頭蓋鳴りと略称される。広義において、耳鳴りは、客観的な耳鳴りをも含む。客観的な耳鳴りは、血管原性又は肌原性による雑音等のような、対応する音源を有する。耳鳴りは、幻聴と異なる。外部からの音源がない状況において、患者に聞こえる具体的な内容を有する音楽や言葉等は、すべて幻聴である。
【０００３】
耳鳴りの病因の多くは、確認が困難であり、現在、医薬管理局の許可を得た耳鳴りを解消する薬は一つもない。多くの原因不明の耳鳴り患者にとっては、耳鳴りを軽減する又は耳鳴りが患者に与える影響を軽減するために、一部の耳鳴り治療を受けるほうがよい。耳鳴治療（Ｔｉｎｎｉｔｕｓ  Ｔｒｅａｔｍｅｎｔ）は、主に耳鳴りマスキング及び耳鳴り順応という二つの物理的方法を有する。耳鳴りマスキング及び耳鳴り順応の原理は、主に神経系に対して再訓練又は再コード化を行うことにある。これによって、中枢の興奮性を低下させ、中枢に対する抑制を増大し、耳鳴りと悪い気分との悪循環を遮断する。そして、患者の耳鳴りに対する順応を促し、患者に耳鳴りを感知させないこと又は患者の耳鳴りの感知を低減させることにより、治療の目的を達成する。臨床実践において発見された耳
鳴り音声の種類は、無限であり、人、左右の耳、ひいては時間及び環境によって異なる。耳鳴りの物理的治療法のポイントは、患者の個々の耳鳴りを正確に検査し、耳鳴り治療処方に直接変換することである。
【０００４】
しかし、従来の検出機器は、少数のいくつかの簡単な純音又は雑音の刺激音だけに頼るものである。そのため、様々な耳鳴りのオーディオ・トーン情報を精確に復元又は診断することができない。したがって、個々の患者に適合する治療処方を提供することができず、耳鳴りの治療効果が大幅に落ちる。
【発明の概要】
【発明が解決しようとする課題】
【０００５】
本発明が主に解決しようとする技術的課題は、耳鳴りのオーディオ・トーン情報を精確に復元又は診断し、耳鳴りの診断に必要な様々なトーン、メロディ、リズム、ラウドネスのオーディオ・トーン信号を発生可能な耳鳴り診断検査装置を提供することである。
【課題を解決するための手段】
【０００６】
上記の技術的課題を解決するために、本発明に係る耳鳴り診断検査装置は、様々な耳鳴りモード及び耳鳴り音声の少なくとも一方を診断するのに必要な様々なトーン、メロディ、リズム及びラウドネスのオーディオ・トーン信号を発生させる全デジタルオーディオ・トーン信号合成発生器と、左耳の前記全デジタルオーディオ・トーン信号合成発生器及び右耳の前記全デジタルオーディオ・トーン信号合成発生器に対する個別の制御及び同時に交互の制御の少なくとも一方を安定的に行い、左右の耳に入力されたオーディオ・トーン信号を調節して最適化し、且つ耳鳴り診断オーディオ・トーン信号を出力する操作制御モジュールと、を備えている。耳鳴り診断によって出力されたオーディオ・トーン信号は、純音、パルス純音、混合純音、混合パルス純音、白色雑音、有色雑音、広帯域・狭帯域雑音、単一震音、多種類混合震音、パルス震音、録画オーディオ信号等を含む。耳鳴り診断検査装置は、複数の耳鳴り音声及び自然音声をプリセットし、フリードマン（Ｆｒｅｄｍａｎ）マスキング曲線、マスキング聴力図、マスキング閾値の上限・下限等の信号データの分析と、マスキング及び順応の治療処方の確認及び出力とを行う。
【０００７】
前記全デジタルオーディオ・トーン信号合成発生器は、それぞれ特定のオーディオ・トーン信号を発生させる、複合音信号発生モジュールと、純音信号発生モジュールと、雑音信号発生モジュールと、録音信号発生モジュールとを含む。
【０００８】
本発明のより好適な実施形態において、前記全デジタルオーディオ・トーン信号合成発生器は、左耳に必要なオーディオ・トーン信号を発生させる左耳の全デジタルオーディオ・トーン信号合成発生器と、右耳に必要なオーディオ・トーン信号を発生させる右耳の全デジタルオーディオ・トーン信号合成発生器とを含む。
【０００９】
前記操作制御モジュールは、前記左耳の全デジタルオーディオ・トーン信号合成発生器及び前記右耳の全デジタルオーディオ・トーン信号合成発生器に対して、そのオーディオ・トーン信号を同時に及び／又は交互に制御し、左右の耳に伝送されたオーディオ・トーン信号を調節して最適化し、両耳の耳鳴り音を安定的に復元させ、且つ耳鳴り診断オーディオ・トーン信号を出力する。耳鳴り診断によって出力されたオーディオ・トーン信号は、純音、パルス純音、混合純音、混合パルス純音、白色雑音、有色雑音、広帯域・狭帯域雑音、単一震音、多種類混合震音、パルス震音、録画オーディオ信号等を含む。耳鳴り診断検査装置は、複数の耳鳴り音声及び自然音声をプリセットし、フリードマン（Ｆｒｅｄｍａｎ）マスキング曲線、マスキング聴力図、マスキング閾値の上限・下限等の信号データの分析と、マスキング及び順応の治療処方の確認及び出力とを行う。
【００１０】
本発明のより好適な実施形態において、耳鳴り診断検査装置は、前記左耳の全デジタルオーディオ・トーン信号合成発生器のデータと前記右耳の全デジタルオーディオ・トーン信号合成発生器のデータとを互いに複製し、当該複製された信号に基づいてオーディオ・トーン信号を調整することができる。
【００１１】
本発明のより好適な実施形態において、前記複合音信号発生モジュールは、マルチチャンネル合成モジュールと、プリセット信号波形モジュールと、耳鳴り信号ライブラリモジュールとを含む。
【００１２】
前記マルチチャンネル合成モジュールは、１又は複数の独立したモノラル信号発生器を有する。前記モノラル信号発生器は、任意の周波数及び音圧レベル範囲内において発音する。複合音声における各モノラル信号発生器の寄与度は、主に所定の周波数におけるラウドネスによって決定される。複合音オーディオ・トーン信号のトーン、メロディ、リズム及びラウドネスは、複数の前記モノラル信号発生器が発生する複数の音信号の配列形態及び各モノラル信号発生器の寄与度によって決定され、複合音の総ラウドネスを個別に調整できる。
【００１３】
前記プリセット信号波形モジュールは、直線波、衝撃波、ランプ波、のこぎり波、三角関数（正弦、余弦、正接、余接）波、台形波、矩形波、パルス波等を含むプリセットオーディオ信号の波形に基づいて、波形パラメータを調節する。
【００１４】
前記耳鳴り信号ライブラリモジュールは、耳鳴りデジタル信号を保存し且つ抽出し、様々な耳鳴りデジタル信号を編成・分類・保存・抽出し、耳鳴り患者の検査に対する個別のニーズに応じて、耳鳴り参照信号に対応する周波数、ラウドネス、波形等を含むパラメータを微調整することで、患者の診断に対する個別のニーズに適合する耳鳴り音声信号を出力する。
【００１５】
本発明のより好適な実施形態において、前記波形パラメータは、波形勾配、波形の振幅、波形のピーク値の時間軸上の位置、波形の谷底値の時間軸上の位置、波形の周期及び波形の継続時間を含む。
【００１６】
本発明のより好適な実施形態において、前記純音信号発生モジュールが発生させる純音信号は、通常純音と、合成純音と、パルス純音と、混合パルス純音とを含む。
【００１７】
本発明のより好適な実施形態において、雑音信号発生モジュールが発生させる雑音は、白色雑音、フィルタによって変換された有色雑音、及び、周波数帯域の幅、トーン、ラウドネスが調整可能な様々な雑音を含む。
【００１８】
本発明のより好適な実施形態において、前記全デジタルオーディオ・トーン信号合成発生器が広帯域範囲内（例えば３０ＫＨｚ）において調節可能な音圧レベル範囲は、０ｄＢ〜１２０ｄＢである。
【００１９】
本発明のより好適な実施形態において、前記耳鳴り診断検査装置は、遠隔操作制御及び情報伝送を実現する遠隔操作制御モジュールをさらに備えている。
【００２０】
本発明のより好適な実施形態において、前記耳鳴り診断検査装置は、手動又は自動的にオーディオ信号のスキャン及び標定・校正が可能なオーディオ信号標定・校正モジュールをさらに備えている。
【発明の効果】
【００２１】
本発明に係る耳鳴り診断検査装置によれば、臨床実験によって判明した、人、左右の耳、時間及び環境によって異なる無限の種類の耳鳴りオーディオ・トーン情報を、精確に復元又はシミュレーションすることができる。また、左右の耳に対する同時及び／又は交互の検査を行い、左右の耳に伝送されたオーディオ・トーン信号を調節して最適化し、左右
の耳の耳鳴り音を安定的に復元させることができる。耳鳴り診断オーディオ・トーン信号を出力し、それぞれの結果を保存する。これによって、患者に個別の治療処方を提供することができ、耳鳴りの治療効果がいっそう高くなる。耳鳴り診断によって出力されたオーディオ・トーン信号は、純音、パルス純音、混合純音、混合パルス純音、白色雑音、有色雑音、広帯域・狭帯域雑音、単一震音、多種類混合震音、パルス震音、録画オーディオ信号等を含む。耳鳴り診断検査装置は、複数の耳鳴り音声及び自然音声をプリセットし、フリードマン（Ｆｒｅｄｍａｎ）マスキング曲線、マスキング聴力図、マスキング閾値の上限・下限等の信号データの分析と、マスキング及び順応の治療処方の確認及び出力とを行う。
【図面の簡単な説明】
【００２２】
【図１】本発明に係る耳鳴り診断検査装置の好適な実施形態の構成を示すブロック図である。
【図２】図１に示す全デジタルオーディオ・トーン信号合成発生器の構成を示すブロック図である。
【発明を実施するための形態】
【００２３】
以下、本発明の利点及び特徴が当業者に理解しやすく、本発明の保護範囲に関する定義がより明確に判断できるように、図面を参照しながら、本発明の好適な実施例について詳細に説明する。
【００２４】
図１及び図２に示すように、本発明の実施形態に係る耳鳴り診断検査装置は、左耳の全デジタルオーディオ・トーン信号合成発生器１０１と、右耳の全デジタルオーディオ・トーン信号合成発生器１０２と、操作制御モジュール２０とを備えている。
【００２５】
前記全デジタルオーディオ・トーン信号合成発生器は、耳鳴り診断検査に必要なオーディオ信号を生成する。前記オーディオ信号は、純音、雑音、複合音等を含む。左右の耳に、それぞれ全デジタルオーディオ・トーン信号合成発生器を取り付ける。広帯域範囲（例えば３０ｋＨｚ）内において、調節可能な音圧レベル範囲は、０ｄＢ〜１２０ｄＢである。前記全デジタルオーディオ・トーン信号合成発生器は、純音、雑音、複合音、シミュレーションされた動物の鳴き声、シミュレーションされた人間の言葉等の、モノトーンから複合トーンまでの音声デジタル信号を生成可能であり、且つ、周波数、ラウドネス、トーン、メロディ、リズム等を任意に調節することができる。
【００２６】
図２に示すように、前記全デジタルオーディオ・トーン信号合成発生器は、純音信号発生モジュール１１と、雑音信号発生モジュール１２と、複合音信号発生モジュール１３と、録音信号発生モジュール１４と、オーディオ信号標定・校正モジュール１５と、オーディオ信号出力モジュール１６とを含む。
【００２７】
純音信号発生モジュール１１は、純音オーディオ信号を発生させる。純音は、周波数及び大きさが単一のオーディオ信号であり、単一の連続的又は断続的なオーディオ信号であってよい。
【００２８】
雑音信号発生モジュール１２は、雑音オーディオ信号を発生させる。雑音は、周波数及び大きさが共に異なり、不規則に組み合わさったオーディオ信号であり、単一の連続的又は断続的なオーディオ信号であってよい。雑音は、白色雑音、フィルタによって変換された有色雑音、及び、周波数帯域の幅が調整可能な雑音を含む。
【００２９】
複合音信号発生モジュール１３は、特定の合成規則に従って、複合音オーディオ・トーン信号を発生させる。複合音信号発生モジュール１３は、マルチチャンネル合成モジュール１３１、プリセット信号波形モジュール１３２、及び、耳鳴り信号ライブラリモジュール１３３を含む。
【００３０】
複合音の形成には、主に以下の３つの形態がある。
【００３１】
１）マルチチャンネルの合成
マルチチャンネル合成モジュールは、１又は複数の独立したモノラル信号発生器１３１１を含む。デジタル音楽／電子合成楽器の国際標準となる「電子楽器に搭載するデジタル化端子  ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）」規格によって発生した１２８個の標準音色の配列及び８１個のパーカッションの配列を用いて、論理式アルゴリズム及びパラメータをデジタル信号に変換し、当該デジタル信号をＤＳＰ（デジタル信号プロセッサ）に入力するか、或いは、ＰＣのＣＰＵ（中央プロセッサ）の処理によって音声を出力。モノラル信号発生器のそれぞれは、例えば１０Ｈｚ〜３０ＫＨｚ、０ｄＢ〜１２０ｄＢのように、任意に設定された周波数及び音圧レベルの範囲内において、音声を出力することができる。マルチチャンネル合成モジュールは、複数（例えば、２つ又は２つ以上のモノラル信号発生器）の独立したオーディオ信号を、プリセットされた配列方式に従って、定性的、定位的、定量的に混合し且つ合成して、交響楽団が楽譜に従って交響楽を演奏するように、必要なトーン、メロディ、リズム、ラウドネスの複合音を生成する。各チャンネルは、単一の楽器のように、そのオーディオ信号変数に周波数及びラウドネスを含む。複合音声における各モノラル信号発生器（各チャンネル）の寄与度は、主に、その編成方法及び所定の周波数におけるラウドネスによって決定される。複合音オーディオ・トーン信号のトーン、メロディ、リズム及びラウドネスは、複数のモノラル信号発生器の配列方式及び各モノラル信号発生器の寄与度によって決定される。複合音の総ラウドネスは個別に調整可能である。
【００３２】
２）プリセット信号の波形
プリセット信号波形モジュールは、プリセットオーディオ信号の波形に基づいて、波形勾配、波形の振幅、波形のピーク値の時間軸上の位置、波形の谷底値の時間軸上の位置、波形の周期、波形の継続時間等のパラメータを調節する。波形の横軸が時間を示し、縦軸が音声のラウドネスを示す。常設される波形は、直線波、衝撃波、ランプ波、のこぎり波、三角関数（正弦、余弦、正接、余接）波、台形波、矩形波、パルス波、白色雑音、有色雑音等を含む。
【００３３】
３）耳鳴り信号ライブラリ
耳鳴り信号ライブラリモジュールは、臨床医学検証後に収集された様々な耳鳴り音のデジタル信号を編成・分類・保存・抽出して、耳鳴り診断の参照に使用し、それから耳鳴り患者の個別の検査に基づいて、周波数及びラウドネスを含む参照用耳鳴り音響信号に対応するパラメータを微調整し、患者の個別のニーズに適合する耳鳴り音声信号を復元し且つ出力する。前記耳鳴り信号ライブラリについては、今後の転用・参照又は医療分類の統計・分析への使用のために、耳鳴り診断技術者は、患者の臨床耳鳴り診断結果のすべてを耳鳴り信号ライブラリに保存することができる。
【００３４】
録音信号発生モジュール１４は、録音したオーディオ信号を生成する。録音信号発生モジュール１４は、入力又は録音されたオーディオ・トーン信号に基づいて、周波数及びラウドネスを含むパラメータを調整することにより、患者の個別のニーズに適合する合成音声信号を出力する。
【００３５】
オーディオ信号標定・校正モジュール１５は、聴力分析装置を内蔵又は外付けすることにより、特別に設置したスピーカヘッドホンを含むオーディオソフト・ハードウェアシステム全体に対して、所定の周波数において音圧レベル又は音の大きさの実験及び標定・校正を行う。オーディオ信号標定・校正モジュール１５は、例えば１０Ｈｚ〜３０ＫＨｚ、０ｄＢ〜１２０ｄＢのように、任意に設定された周波数及び音圧レベルの範囲内において、手動又は自動的に音圧レベル又は音の大きさの実験及び標定・校正を行うことができる。スピーカヘッドホンは、人の耳をシミュレーションした音声空洞内に設置され、気導実験標定を行う。
【００３６】
オーディオ信号出力モジュール１６は、調整済みのオーディオ・トーン信号を出力する。
【００３７】
前記操作制御モジュールは、前記全デジタルオーディオ・トーン信号合成発生器に対する制御を行う。現場で操作・制御してもよく、遠隔で操作・制御してもよい。
【００３８】
現場まで足を運ぶ事ができない耳鳴り患者又は断続的な耳鳴りがする患者が、検査を受ける際に耳鳴り現象が発生しない場合に、耳鳴りについての説明に従って、患者の耳鳴りに類似する可能性が高い複数の耳鳴り治療オーディオ・トーン処方を設計し、それぞれ耳鳴り治療器にダウンロードする。次に、患者が自宅に戻ってから、耳鳴りが発生する際に装用して、患者自身によっていくつかプリセットされた処方をデバッギング且つ体験し、そして患者自身の耳鳴りに類似する１又は複数の処方を探し出し、耳鳴り診療専門家にフィードバックする。これによって、検査範囲が縮小し、耳鳴りを迅速に診断することができる。耳鳴り治療器は大きく分けると、聴覚補償機能を有さない耳鳴り治療器と、聴覚補償機能を有する耳鳴り治療器との、２種類がある。
【００３９】
耳鳴り信号に対するリモートデバッグを実現し、携帯電話におけるオープンプラットフォームを介して信号を伝送するため、耳鳴り治療器には、無線送信モジュールＧＰＲＳが取り付けられている。これにより、機器間の直接的な情報伝達及び信号の伝送が実現され
る。
【００４０】
耳鳴り治療は、片耳の調整、又は、両耳に対する同時又は交互のデバッギングを行うことができる。両耳のバランスデバッギングは、多数の耳鳴り患者に対して効果がより明らかであり、両耳の耳鳴りを改善し且つ安定的に復元することができる。左右の耳のデータについて、複製した後に、個別にデバッギングを行ってよい。左右の耳のデジタルオーディオ信号合成発生器は、再生とデバッギングとを同時に交互に行うことができる。
【００４１】
耳鳴り診断によって出力した耳鳴り治療処方は、主に耳鳴りマスキング及び耳鳴り順応という二つの物理的方法を有する。耳鳴りマスキング及び耳鳴り順応の原理は、主に神経系に対して再訓練又は再コード化を行うことにある。これによって、中枢の興奮性を低下させ、中枢に対する抑制を増大し、耳鳴りと悪い気分との悪循環を遮断する。そして、患者の耳鳴りに対する順応を促し、患者に耳鳴りを感知させないこと又は患者の耳鳴りの感知を低減させることにより、治療の目的を達成する。耳鳴り診断処方のオーディオ・トーン信号は、純音、パルス純音、混合純音、混合パルス純音、白色雑音、有色雑音、広帯域・狭帯域雑音、単一震音、多種類混合震音、パルス震音、録画オーディオ信号等を含む。耳鳴り診断検査装置は、多数の耳鳴り音声及び自然音声をプリセットし、フリードマン（Ｆｒｅｄｍａｎ）マスキング曲線、マスキング聴力図、マスキング閾値の上限・下限等の信号データの分析と、マスキング及び順応の治療処方の確認及び出力とを行う。耳鳴り診治療処方は、耳鳴り音響信号の位置決め又はオーディオ・トーンのデジタル表現であり、複合パラメータ（トーン、リズム、メロディ等）、及び、基本なパラメータ（中心周波数、帯域幅、ラウドネス等）を含み、印刷又はアーカイブできるようにｐｄｆイメージファイル形式としてオーディオ信号図を保存してもよく、印刷と保存ができる。エンコーダを介してタイムドメインの波形信号を周波数領域信号に変換して、ｗａｖ、ｍｐ３、ｍｐ４、ｍｐ５、ｃａｄ、ｒａｍ、ｗｍａ、ｍｉｄ等を含むオーディオの非圧縮フォーマット又は圧縮フォーマット（周波数領域は限定しない）を直接出力する。これらをオーディオ信号プレーヤに基づく耳鳴り治療器にダウンロードすることができ、デコードした後、患者に提供して、患者が装用して聴くことができる。また、補聴器フィッティングモジュールにシームレスに直接出力し、プログラミング・デバッギングを介して、耳鳴りがある聴覚障害患者の個々に、聴覚補償機能及び耳鳴り治療機能を兼備する補聴器をフィッティングする。
【００４２】
上記の説明は、本発明の実施例に過ぎず、本発明の保護範囲を限定するものではない。本願明細書及び図面の内容を利用し、同様の効果を奏する構造やフローに変更したり、他の関連する技術分野に直接的又は間接的に適用したりすることは、本発明の保護範囲に含まれるべきである。
【図１】
0006037418.tif 000002
【図２】
0006037418.tif 000003